【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
上箱と下箱とからなる分割可能な耐圧チャンバー内に、隔壁を隔てて形成した被包装物の配置隔離室、及びシールバーの隔離室と、
前記の隔壁に形成した、前記両隔離室間を連通する連通孔と、
前記隔壁の分離対向面に形成した、前記両隔離室を連通する部分間隙と、
被包装物を等間隔で収容するチューブフイルムを、前記上下両箱間において搬送する手段と、
前記チューブフイルムの運搬方向に沿って前記上下両箱をブロックモーションさせる手段と、
前記耐圧チャンバーの、被包装物の配置隔離室に被包装物を隔離した直後、前記シールバー隔離室の一側のシールバー内に配置した切断刃を、他側のシールバーに形成した隙穴に押し込んで前記チューブフイルムを切断する手段と、
前記チューブフイルムを切断したあと、真空ポンプの吸引力を、真空タンクを介して被包装物配置隔離室から前記隔壁の連通孔を通し、さらに前記両隔壁対向面の部分間隙を通して前記チユーブフイルム内に作用させる手段と、
そのあと、前記両シールバーで前記チーブフイルムのカット端を挟圧して溶着する手段とを備え、
前記ブロックモーション時の、上下両箱の前後進運動を、前記の前進運動時間と後退運動時間とを、ほぼ３対１に設定し、一方前記真空タンクの容積を、耐圧チャンバーの上限容積８リットルに対する１５倍超えに設定する共に、前記真空ポンプの吸引馬力を、前記真空タンク容積１０リットル当たり１馬力以上に設定することを特徴とする装置。
【請求項２】
水平ガイドに沿って前後進する枠型フレーム両側の垂直ガイドに、上箱と下箱とを上下に分割可能に支持し、前記の下箱内に設置したベルトコンベヤから同下箱の下面を気密に貫通して垂下する脚材を、前記の枠型フレームに固定する一方、前記下箱の側面を貫通する駆動軸の一端を、下箱の外面に配置したモータと連結する一方、前記下箱内側において前記駆動軸の他端に第１リンクを枢支し、該第１リンクと、前記ベルトコンベヤの可動軸に枢支した第２リンクとを交差させると共に、これら両リンクの交点に関節軸を設け、前記駆動軸と前記可動軸と前記関節軸とを、これら各軸それぞれに設けた歯車で連結して、上下両箱の開閉動作にかかわらず、ベルトコンベヤの高さレベルを常に同じ高さに維持させる手段を備える請求項１に記載の装置。
【請求項３】
枠型フレーム両側の垂直ガイドそれぞれに垂直ブロックをスライド自在に支持し、縦方向の雌ねじ部を前記両昇降ブロックに形成し、前記両雌ねじ部に、前記フレーム両側において縦方向に配置した一対のねじ棒を係合すると共に、これら両ねじ棒それぞれと、操作軸とをベルベ歯車を介して連結し、前記操作軸の回転で、前記両昇降ブロックに支持する作動軸と、該作動軸にダブルクランクを介して、支持する上下両箱とを一体に昇降させる構成の請求項２記載の装置。
【手続補正２】
【補正対象書類名】明細書
【補正対象項目名】０００５
【補正方法】変更
【補正の内容】
【０００５】
本発明の目的は、前記の特許文献１と相似する耐圧チヤンバーに、前記特許文献２のシールバーを組み入れる隔壁を形成し、この隔壁の空気抵抗を利用して、チューブフイルム内の空気排除と、同チューブフイルム外の空気排除とを同時に行い能率向上を図るようにしたもので、上箱と下箱とからなる分割可能な耐圧チャンバー内に、隔壁を隔てて形成した被包装物の配置隔離室、及びシールバーの隔離室と、
前記の隔壁に形成した、前記両隔離室間を連通する通気孔と、
前記隔壁の分離対向面に形成した、前記両隔離室を連通する部分間隙と、
被包装物を等間隔で収容するチューブフイルムを、前記上下両箱間において搬送する手段と、
前記チューブフイルムの運搬方向に沿って前記上下両箱をブロックモーションさせる手段と、
前記耐圧チャンバーの、被包装物の配置隔離室に被包装物を隔離した直後、前記シールバー隔離室の一側のシールバー内に配置したカット刃を、他側のシールバーに形成した隙穴に押し込んで前記チューブフイルムを切断する手段と、
前記チューブフイルムを切断したあと、真空ポンプの吸引力を、真空タンクを介して被包装物配置隔離室から前記隔壁の通気孔を通し、さらに前記両隔壁対向面の部分間隙を通して前記チユーブフイルム内に作用させる手段と、
そのあと、前記両シールバーで前記チーブフイルムのカット端を挟圧して溶着する手段とを備え、
前記ブロックモーション時の、上下両箱の前後進運動を、前記の前進運動時間と後退運動時間とを、ほぼ３対１に設定し、一方前記真空タンクの容積を、耐圧チャンバーの上限容積８リットルに対する１５倍超えに設定する共に、前記真空ポンプの吸引馬力を、前記真空タンク容積１０リットル当たり１馬力以上に設定するごとく構成する。
【手続補正３】
【補正対象書類名】明細書
【補正対象項目名】０００９
【補正方法】変更
【補正の内容】
【０００９】
図４に示すように、前記のダブルクランク２７は、前記の作動軸２６に固定した第１クランク３１と、同作動軸２６に固定した偏芯円盤３２の周りに回転自在に支持する第２クランク３３とからなり、作動軸２６の動力でもって回転する第１クランク３１は、上箱１８を垂直ガイド２４に沿って上下動させ、一方前記作動軸２６で前記の偏芯円盤３２が回転することにより、同偏芯円盤３２に支持した第２クランク３３は上下に変位して下箱１９を上下動させて、前記両上下箱を開閉するのである。
【手続補正４】
【補正対象書類名】明細書
【補正対象項目名】００１２
【補正方法】変更
【補正の内容】
【００１２】
図２においてエンドレスチェン１３を駆動するサーボモータ４１から発するパルス信号４２を制御器３０に入力し、該制御器３０からのフイードバック信号でもって搬送する被包装物１５の間隔を一定に保ち、一方これに帯状フイルム１２のスピード調整をすることで、チューブフイルム１０内での各被包装物の間を設定間隔に保っことができる。要するに、被包装物１５の長さを変更するに当たり、その変更数値を装置４６から制御器３０にインプットすると、同制御器内部の演算器は、帯状フイルム１２の搬送速度を、変更する被包装物の長さに合わせて調整して、各被包装物の間隔を設定通りに維持する一方、前記制御器３０に繋がる信号回路４３でもって正逆転用の第１モータ３８の回転運動をコントロールする。要するに同第１モータ３８は、耐圧チャンバー上下両箱のボックスモーション運動４４，４５のスピードを、図１３における前進３９aを例えば1 .5 秒に、後進３９bを０．５秒に、常に３対１の関係に設定するのである。
【手続補正５】
【補正対象書類名】明細書
【補正対象項目名】００１３
【補正方法】変更
【補正の内容】
【００１３】
図５では、雄ねじブロック３６の一部に、ビス４７でもって２本の脚材４８を固定しているが、図３に示すようにこれら２本の脚材４８は、耐圧チャンバーの下箱１９から垂下するものであり、図４に示すごとく下箱１９を気密にかつスライド自在に貫通する前記脚材４８は、その上端にベルトコンベヤ４９を支えている。要するに、脚材４８が支持する前記のベルトコンベヤ４９は、下箱１９が上下動しても常に一定の高さレベルを維持するのてあり、かかる構成により図１３における搬入コンベヤ４０から図４のベルトコンベヤ４９に、被包装物１５の搬入をスムーズに行えるのである。
【手続補正６】
【補正対象書類名】明細書
【補正対象項目名】００１５
【補正方法】変更
【補正の内容】
【００１５】
しかして下箱１９と一体に前記第１軸５２が下降する場合、関節軸５８の部分で前記両リンク５５、５７の交差角度は拡大するが、そうする動きの最中でも、下域の第２モータ５０から前記第１軸５２に伝わる動力は、前記両リンクに設置した歯車群５９を介して可動軸５６に伝わり、前記ベルトコンベヤ４９に動力を伝えるのであり、かかる構成は、前記特許文献１に開示する耐圧チヤンバーの、３分割構造に比較して内部容積を少なくし、結果として真空吸引能率を高める効果があるのである。
【手続補正７】
【補正対象書類名】明細書
【補正対象項目名】００２８
【補正方法】変更
【補正の内容】
【００２８】
１８…上箱
１９…下箱
２０…耐圧チャンバー
２３…枠型フレーム
２４…垂直ガイド
２５…垂直ブロック
２６…作動軸
２７ダブルクランク
３５…水平ガイド
４８…脚材
４９…ベルトコンベヤ
５０…モータ
５２…駆動軸
５５…第１リンク
５７…第２リンク
５８…関節軸
５９…歯車
６０…部分間隙
６１，３２…隔壁
６３…被包装物の配置隔離室
６３…シールバーの隔離室
６５、６６…シールバー
７０…連通孔
７４…切断刃
８１…真空ポンプ
８４…真空タンク
９１…ねじ棒
９２…ベベル歯車
９３…操作軸
【手続補正８】
【補正対象書類名】図面
【補正対象項目名】図３
【補正方法】変更
【補正の内容】
【図３】
2007230614.tif 000001